(57)【要約】【課題】屋内側からサッシに対し簡単な作業で取り付けることができ、また種々のサイズの窓に柔軟に対応することが可能である窓用雨降り込み防止装置を提供する。【解決手段】一対の角パイプ２１は一対の角パイプ１１に挿入されており、下側フレーム７は上側フレーム５に対し相対的にスライド動作可能に支持されている。伸縮フレーム３を縮めた状態で、伸縮フレーム３を屋内側からサッシ６１内に入れて、上側圧接部１５を上側の網戸レール６３の内側面に当接させる。伸縮フレーム３を持ち上げて上側圧接部１５をサッシ６１の内側の上面に圧接させ、下側フレーム７を下方向にスライドさせて下側圧接部２５をサッシ６１の内側の下面に圧接させる。下側フレーム７を前方向に押して下側圧接部２５を下側の網戸レール６５の内側面に当接させる。下側ナット３３と上側ナット３５を締めて雌ネジシャフト３１を連結プレート１９に固定する。【選択図】        図２
2011084926.tif 000002
【特許請求の範囲】
【請求項１】
伸縮可能で高さ寸法を変更でき、且つ上下の端部にサッシの網戸レールの内側面とサッシの内側の上下面とに圧接する圧接部を有する伸縮フレームと、前記伸縮フレームに設けられ前方側へ張り出し下面が開口するカバーと、前記伸縮フレームを伸縮させ任意の高さ寸法となった状態で固定できる固定手段とから成ることを特徴とする窓用雨降り込み防止装置。
【請求項２】
請求項１に記載した窓用雨降り込み防止装置において、伸縮フレームはカバーが取り付けられる上側フレームと、前記上側フレームに対し相対的にスライド動作可能に支持された下側フレームとから成ることを特徴とする窓用雨降り込み防止装置。
【請求項３】
請求項２に記載した窓用雨降り込み防止装置において、固定手段は上側フレームと下側フレームのいずれか一方に固定され高さ方向へ真っ直ぐに延びる雌ネジシャフトと、前記雌ネジシャフトに螺合されたダブルナットとによって構成されていることを特徴とする窓用雨降り込み防止装置。
【請求項４】
請求項１から３のいずれかに記載した窓用雨降り込み防止装置において、伸縮フレームに開口を覆うネットを備えたことを特徴とする窓用雨降り込み防止装置。
【発明の詳細な説明】
【技術分野】
【０００１】
本発明は窓用雨降り込み防止装置に係り、特に窓枠に装着可能な窓用雨降り込み防止装置に関するものである。
【背景技術】
【０００２】
留守の間、通風のため窓を開けたままにすることがあるが、雨が降ると室内に降り込んでしまうことになる。これ防止するために特許文献１に記載された雨の降り込まない網戸用通風雨具がある。
この雨の降り込まない網戸用通風雨具は網戸の外枠に取り付けて用いるものである。
【先行技術文献】
【特許文献】
【０００３】
【特許文献１】特開２００５−２９０６８８号公報
【発明の概要】
【発明が解決しようとする課題】
【０００４】
しかしながら、特許文献１に記載された雨の降り込まない網戸用通風雨具は、屋外側から網戸の外枠に取り付けるものであるため、例えば、二階にある窓の場合には、網戸をいちいち取り外さなければならず面倒である。しかも、この網戸用通風雨具は複数の羽板を１つ１つ取り付けなければならず取り付けのための作業性が悪いという問題がある。また網戸のサイズによって羽板の寸法や数が異なることになり、種々のサイズの網戸に柔軟に対応することができないという問題もある。
【０００５】
本発明は上記従来の問題点に着目して為されたものであり、屋内側からサッシに対し簡単な作業で取り付けることができ、また種々のサイズの窓に柔軟に対応することが可能である窓用雨降り込み防止装置を提供することを、その目的とする。
【課題を解決するための手段】
【０００６】
本発明は上記課題を解決するためになされたものであり、請求項１の発明は、伸縮可能で高さ寸法を変更でき、且つ上下の端部にサッシの網戸レールの内側面とサッシの内側の上下面とに圧接する圧接部を有する伸縮フレームと、前記伸縮フレームに設けられ前方側へ張り出し下面が開口するカバーと、前記伸縮フレームを伸縮させ任意の高さ寸法となった状態で固定できる固定手段とから成ることを特徴とする窓用雨降り込み防止装置である。
【０００７】
請求項２の発明は、請求項１に記載した窓用雨降り込み防止装置において、伸縮フレームはカバーが取り付けられる上側フレームと、前記上側フレームに対し相対的にスライド動作可能に支持された下側フレームとから成ることを特徴とする窓用雨降り込み防止装置である。
【０００８】
請求項３の発明は、請求項２に記載した窓用雨降り込み防止装置において、固定手段は上側フレームと下側フレームのいずれか一方に固定され高さ方向へ真っ直ぐに延びる雌ネジシャフトと、前記雌ネジシャフトに螺合されたダブルナットとによって構成されていることを特徴とする窓用雨降り込み防止装置である。
【０００９】
請求項３の発明は、請求項１から３のいずれかに記載した窓用雨降り込み防止装置において、伸縮フレームに開口を覆うネットを備えたことを特徴とする窓用雨降り込み防止装置である。
【発明の効果】
【００１０】
本発明の窓用雨降り込み防止装置によれば、屋内側からサッシに対し簡単な作業で取り付けることができる。また種々のサイズの窓に柔軟に対応することが可能となる。
【図面の簡単な説明】
【００１１】
【図１】本発明の実施の形態に係る窓用雨降り込み防止装置の斜視図である。
【図２】図１の窓用雨降り込み防止装置の背面側から見た斜視図である。
【図３】図１の窓用雨降り込み防止装置の背面図である。
【図４】サッシに取り付けられた状態の窓用雨降り込み防止装置の側面図である。
【図５】サッシに取り付けられた状態の窓用雨降り込み防止装置の正面図である。
【発明を実施するための形態】
【００１２】
本発明の実施の形態に係る窓用雨降り込み防止装置１を図面にしたがって説明する。
符号３は伸縮フレームを示し、この伸縮フレーム３は上側フレーム５と下側フレーム７とによって構成されている。
上側フレーム５の構成について説明する。
符号１１は一対の角パイプを示し、一対の角パイプ１１は互いにある程度の間隔をあけて配置されている。一対の角パイプ１１の上端部には連結プレート１３が渡設されており、この連結プレート１３の上端部は角パイプ１１の上端より上方に向かって突出している。連結プレート１３の角パイプ１１上端から突出した部分は上側圧接部１５となっている。
一対の角パイプ１１の上下方向の中間部には連結プレート１７が渡設されており、また一対の角パイプ１１の下端部には連結プレート１９が渡設されている。
【００１３】
下側フレーム７の構成について説明する。
符号２１は一対の角パイプを示し、一対の角パイプ２１の下端部には連結プレート２３が渡設されており、この連結プレート２３の下端部は角パイプ２１の下端より下方に向かって突出している。連結プレート２３の角パイプ２１下端から突出した部分は下側圧接部２５となっている。
下側フレーム７の一対の角パイプ２１は上側フレーム５の一対の角パイプ１１に摺動可能な状態に挿入されており、下側フレーム７は上側フレーム５に対し相対的にスライド動作可能に支持されている。
【００１４】
上側フレーム５の連結プレート１９の中間部には軸受２９が固定されており、この軸受２９には雌ネジシャフト３１が上下方向に動作自在に挿通されている。雌ネジシャフト３１の下端部は下側フレーム７の連結プレート２３に固定されており、雌ネジシャフト３１は高さ方向へ真っ直ぐに延びる姿勢となっている。従って、雌ネジシャフト３１は下側フレーム７と共に上側フレーム５に対し相対的にスライド動作可能となっている。
【００１５】
雌ネジシャフト３１にはダブルナットとしての下側ナット３３と上側ナット３５が螺合されている。下側ナット３３は座金３７を挟んで軸受２９の下側に配置されており、上側ナット３５は座金３９を挟んで軸受２９の上側に配置されている。
固定手段は雌ネジシャフト３１、下側ナット３３及び上側ナット３５によって構成されている。
【００１６】
符号５１はカバーを示し、このカバー５１は一対のサイドプレート５３と、取付カバー部５５とによって構成されている。
サイドプレート５３は三角形の板状であり、このサイドプレート５３は一対の角パイプ１１にそれぞれ固定されている。取付カバー部５５はプラスチックから成り、この取付カバー部５５は一対のサイドプレート５３に取り付けられている。
カバー５１は前方側へ張り出しており、このカバー５１の前面は下方へ行くにしたがって上側フレーム５から遠ざかる傾斜面となっている。またカバー５１の下面は開口している。
【００１７】
符号５７はネットを示し、このネット５７は伸縮フレーム３の背面に両面テープ等によって固定される。
符号６０は窓を示し、この窓６０はサッシ６１、ガラス戸６９、７０等によって構成されている。サッシ６１は上側の網戸レール６３と下側の網戸レール６５とを有している。またサッシ６１はガラス戸レール６７、６８を有しており、ガラス戸レール６７、６８にはガラス戸６９、７０が摺動自在に支持されている。
【００１８】
次に、窓用雨降り込み防止装置１の使用方法について説明する。
図３の仮想線に示すように下側ナット３３と上側ナット３５を軸受２９から離間させ、上側フレーム５と下側フレーム７を一定の範囲で相対的にスライド動作できるようにして、伸縮フレーム３をある程度伸縮可能な状態にする。
【００１９】
一方の手で上側フレーム５を持ち、もう一方の手で下側フレーム７を持って、伸縮フレーム３を縮めた状態にする。この状態で伸縮フレーム３を屋内側からサッシ６１内に入れて、上側圧接部１５を上側の網戸レール６３の内側面に当接させる。伸縮フレーム３を持ち上げて上側圧接部１５をサッシ６１の内側の上面（天面）に圧接させ、そして下側フレーム７を下方向にスライドさせて下側圧接部２５をサッシ６１の内側の下面（底面）に圧接させる。下側フレーム７を前方向に押して下側圧接部２５を下側の網戸レール６５の内側面に当接させる。
【００２０】
そして、図３の実線に示すように下側ナット３３と上側ナット３５を締めて雌ネジシャフト３１を連結プレート１９に固定する。これにより伸縮フレーム３はサッシ６１の上下の内側面に突っ張った状態で固定されて、窓用雨降り込み防止装置１はサッシ６１に取り付けられる。
【００２１】
このように窓用雨降り込み防止装置１は、網戸をいちいち外さなくても屋内側からサッシ６１に対し簡単な作業で取り付けることができる。また伸縮フレーム３は伸縮可能で高さ寸法を変更できるので、種々のサイズの窓に柔軟に対応することが可能である。
窓用雨降り込み防止装置１はサッシ６１の網戸レール６３、６５側に取り付けられるので、ガラス戸６９、７０の開閉動作に支障をきたすことはない。
【００２２】
窓用雨降り込み防止装置１がサッシ６１に取り付けられた状態では、カバー５１は窓６０から外側に突出する。このカバー５１によって雨が遮断されるので、図５に示すように通風のためガラス戸６９を開けたままにしても、雨が室内に降り込んでしまうことがない。しかもカバー５１の前面は傾斜面となっているので、横殴りの雨でも、雨が室内に降り込んでしまうのを確実に防止することができる。
【００２３】
また、ガラス戸６９をある程度開けた状態で、図示しないロック装置を用いてガラス戸６９、７０をサッシ６１に対し固定する。なおロック装置はガラス戸６９、７０をサッシ６１に対し任意の位置で固定できるものである。
窓用雨降り込み防止装置１の伸縮フレーム３はその幅寸法が比較的小さく設定されている。また伸縮フレーム３の幅方向の中間部には上下方向に長く延びる雌ネジシャフト３１が設けられているので、人が伸縮フレーム３内を通り抜けることはできず、防犯上問題はない。
また、伸縮フレーム３の背面にネット５７を固定して開口を覆えば、蚊等の虫が室内に入ってくるのを防止することができる。
【００２４】
以上、本発明の実施の形態について詳述してきたが、具体的構成は、この実施の形態に限られるものではなく、本発明の要旨を逸脱しない範囲における設計の変更などがあっても発明に含まれる。
上記実施の形態では、雌ネジシャフト３１を下側フレーム７に固定したが、雌ネジシャフト３１を上側フレーム５に固定してもよい。
上記実施の形態では、カバー５１を一対のサイドプレート５３と取付カバー部５５とによって構成したが、カバー５１を一体のもので構成してもよい。
また、カバー５１の前面を傾斜面としたが、カバー５１の前面を垂直面としてもよい。
【産業上の利用可能性】
【００２５】
本発明は、窓用雨降り込み防止装置の製造業に利用可能である。
【符号の説明】
【００２６】
１…窓用雨降り込み防止装置      ３…伸縮フレーム      ５…上側フレーム
７…下側フレーム      １１…角パイプ      １３…連結プレート
１５…上側圧接部      １７、１９…連結プレート      ２１…角パイプ
２３…連結プレート      ２５…下側圧接部      ２９…軸受
３１…雌ネジシャフト      ３３…下側ナット      ３５…上側ナット
３７、３９…座金      ５１…カバー      ５３…サイドプレート
５５…取付カバー部      ５７…ネット      ６０…窓
６１…サッシ      ６３…上側の網戸レール      ６５…下側の網戸レール
６７、６８…ガラス戸レール      ６９、７０…ガラス戸
【図１】
2011084926.tif 000003
【図２】
2011084926.tif 000004
【図３】
2011084926.tif 000005
【図４】
2011084926.tif 000006
【図５】
2011084926.tif 000007